(57)【要約】【課題】本発明の課題は、再利用に適した構成を有する段ボール箱を提供することにある。【解決手段】本発明によれば、段ボール箱１であって、天井壁体１１と底壁体１２と該天井壁体１１と該底壁体１２とを連結する側壁体（側壁１３、１４、１５、１６）とを備え、該側壁体には該天井壁体１１の側と該底壁体１２の側とに二分するための分離用ミシン目加工（２４ａ、２４ｂ）が施されている段ボール箱１が提供される。【選択図】図１
2018065571.tif 000002
【特許請求の範囲】
【請求項１】
段ボール箱であって、
天井壁体と底壁体と該天井壁体と該底壁体とを連結する側壁体とを備え、該側壁体には該天井壁体の側と該底壁体の側とに二分するための分離用ミシン目加工が施されている段ボール箱。
【請求項２】
該分離用ミシン目加工部分が破断されることにより、該段ボール箱が二分され、収納ケース、又はトレーに分断可能に構成された請求項１に記載の段ボール箱。
【請求項３】
該段ボール箱は折り畳み式であり、
該側壁体は対面する側壁が同形の矩形からなる４枚の側壁から構成され、
該天井壁体は、該４枚の側壁の上辺に屈曲可能に連結され観音開きに構成された４枚の天井壁からなり、
該底壁体は、該４枚の側壁の下辺に屈曲可能に連結され観音開きに構成された４枚の底壁からなり、
向かい合う２枚の天井壁の先端が突き合わされテープで閉じられた延長線上の側壁に取っ手孔を形成するための取っ手孔形成用ミシン目加工が施されている請求項１又は２に記載の段ボール箱。
【請求項４】
該テープの端部が該取っ手孔を形成する該取っ手孔形成用ミシン目加工領域に至り、該取っ手孔形成用ミシン目加工領域を天井壁体側、又は底壁体側に破断することにより該テープを剥離可能に構成された請求項３に記載の段ボール箱。
【発明の詳細な説明】
【技術分野】
【０００１】
本発明は、再利用に適した構成を有する段ボール箱に関する。
【背景技術】
【０００２】
種々の物品の運搬に広く段ボール箱が用いられており、運搬先で不要になった段ボールはそのまま折り畳まれて廃棄されることが一般的である。
【０００３】
しかし、段ボール箱を形成する段ボール紙は、通常、波状に加工した紙を表裏の紙で挟んで接着して構成されることにより比較的丈夫な構造をしており、取扱い、加工も容易であることから、再利用されることが望ましい。このような問題に対処すべく、段ボール箱の開封後に陳列に適した状態となるように破断される段ボール箱が提案されている（例えば、特許文献１を参照。）。
【先行技術文献】
【特許文献】
【０００４】
【特許文献１】特開２０１５−１１０４４６号公報
【発明の概要】
【発明が解決しようとする課題】
【０００５】
上記特許文献１に開示された段ボール箱では、開封すると共に残される下半分を陳列に供する構成が開示されているものの、当該構成では、観音開きに構成される向かい合う側壁を二分する必要があり、また、最も大きな天面を破断することにより開封する構成となっていることから、再利用が十分になされる構成を開示しているとは言い難い。また、観音開きにより構成された側壁を破断するため、綺麗に破断するための構成が複雑になり、該側壁に取っ手を構成することが難しく、大きな段ボール箱に適用する場合は、未だ改善の余地がある。
本発明は、上記事実に鑑みなされたものであり、その主たる技術課題は、再利用に適した構成を有する段ボール箱を提供することにある。
【課題を解決するための手段】
【０００６】
上記主たる技術課題を解決するため、本発明によれば、段ボール箱であって、天井壁体と底壁体と該天井壁体と該底壁体とを連結する側壁体とを備え、該側壁体には該天井壁体の側と該底壁体の側とに二分するための分離用ミシン目加工が施されている段ボール箱が提供される。
【０００７】
該分離用ミシン目加工部分が破断されることにより、該段ボール箱が二分され、収納ケース、又はトレーに分断可能に構成されていることが好ましい。
【０００８】
該段ボール箱は折り畳み式であり、該側壁体は対面する側壁が同形の矩形からなる４枚の側壁から構成され、該天井壁体は、該４枚の側壁の上辺に屈曲可能に連結され観音開きに構成された４枚の天井壁からなり、該底壁体は、該４枚の側壁の下辺に屈曲可能に連結され観音開きに構成された４枚の底壁からなり、向かい合う２枚の天井壁の先端が突き合わされテープで閉じられた延長線上の側壁に取っ手孔を形成するための取っ手孔形成用ミシン目加工が施されていることが好ましい。
【０００９】
さらに、該テープの端部が該取っ手孔を形成する該取っ手孔形成用ミシン目加工領域に至り、該取っ手孔形成用ミシン目加工領域を天井壁体側、又は底壁体側に破断することにより該テープを剥離可能に構成することが好ましい。
【発明の効果】
【００１０】
本発明に基づき構成された段ボール箱は、天井壁体と底壁体と該天井壁体と該底壁体とを連結する側壁体とを備え、該側壁体には該天井壁体の側と該底壁体の側とに二分するための分離用ミシン目加工が施されていることにより、該分離用ミシン目加工部分を破断して、該段ボール箱が天井壁体側、底壁体側に二分され、収納ケース、又はトレーとして利用可能な状態に分断することができ、棚等に収容して陳列するための収納ケースとして、或いは収容物を運搬するためのトレーとして再利用することができる。
【図面の簡単な説明】
【００１１】
【図１】本発明に基づき構成された段ボール箱の全体斜視図である。
【図２】図１のＸ部分を拡大して示す拡大図である。
【図３】図１の段ボール箱を二分した後の上側部分と下側部分を示す図である。
【図４】図３に示す段ボール箱を二分して得られた下側部分を廃棄する際の手順を説明するための説明図である。
【発明を実施するための形態】
【００１２】
以下、本発明による段ボール箱について添付図面を参照しつつ、詳細に説明する。図１には、本発明に基づき構成された段ボール箱１の全体斜視図が示されている。段ボール箱１は、折り畳み式であり、天井壁体１１と、該天井壁体１１と対面する位置に形成される底壁体１２と、天井壁体１１及び底壁体１２を連結する側壁体からなり、該側壁体は、４枚の側壁１３、１４、１５、１６から構成されている。
【００１３】
該４枚の側壁１３、１４、１５、１６は、対面する側壁１３と側壁１５、及び側壁１４と側壁１６がそれぞれ同一形状に形成されており、側壁１３、１５の上辺、下辺は、側壁１４、１６の上辺、下辺よりも短く形成されることで、該段ボール箱１は直方体形状となる。該側壁１３、１５の上部、下部には、破断することで取っ手孔を形成する取っ手孔形成用ミシン目加工２０ａ、２２ａ、２０ｂ、２２ｂが施されている。
【００１４】
天井壁体１１は、４枚の天井壁により観音開きに構成されている。より具体的には、該４枚の側壁１３、１４、１５、１６の上辺に屈曲可能に連結された４枚の天井壁１１ａ、１１ｂ、１１ｃ、１１ｄから構成され、底壁体１２も、該天井壁体１１と同様に４枚の底壁により観音開きに構成されており、該４枚の側壁１３、１４、１５、１６の下辺に屈曲可能に連結された４枚の底壁１２ａ、１２ｂ、１２ｃ、１２ｄから構成されている（図３も参照されたい。）。
【００１５】
該側壁体を構成する側壁１３、１４、１５、１６の高さ方向における中央部分には、水平方向、すなわち、天井壁体１１、底壁体１２に平行な方向で、段ボール箱１を上下に二分可能な破断帯２４が形成される。より具体的には、破断帯２４は、全周に渡って形成される２条の分離用ミシン目加工２４ａ、２４ｂにより上下方向に所定の幅をもって形成される。
【００１６】
該側壁１３、１４、１５、１６に形成された該破断帯２４の少なくとも一部には、図１のＸ部に示されるような破断開始部２６が形成されている。破断開始部２６を含む該Ｘ部の領域を拡大した詳細を図２に示す。破断開始部２６は、破断帯２４の上下方向の幅寸法に対して略１／２程度で細く形成され、破断開始部２６の先端部分に作業者の指を強く当てることにより先端部を周囲から分断し、該先端部を外方に引き出しながら図２に示す状態とすることが可能である。そして、破断開始部２６を図中矢印で示す方向に引っ張ることにより、破断帯２４を該分離用ミシン目加工２４ａ、２４ｂに沿って段ボール箱１から分離することが可能に構成されている。なお、作業者が破断開始部２６を外側に引き出しやすいように、破断開始部２６の周囲のみミシン目加工でなく、切込み加工を施すようにしてもよい。また、破断開始部２６は、一箇所のみならず、複数設けるようにしてもよく、反対側の側壁１６にも設けるようにしてもよい。
【００１７】
段ボール箱１を組み立てる際は、図中側壁１３、１５の下辺に連結された底壁１２ｃ、１２ｄを内側に折り曲げ、さらに、側壁１４、１６の下辺に連結された底壁１２ａ、１２ｂを、側壁１４、１６の下辺で折り曲げて向い合せ、その先端を突き合わせることにより該底壁１２ｃ、１２ｄの外側を覆うと共に該段ボール箱１の下面を密閉し、該突き合せ部分をテープＴ２により閉じられて底壁体１２が完成する。その際、テープＴ２で閉じられた延長線上の側壁１３、１５に、取っ手形成用ミシン目加工２２ａ、２２ｂが施されており、テープＴ２の端部Ｔ２ａ、Ｔ２ｂが該取っ手孔形成用ミシン目加工２２ａ、２２ｂの領域に掛かるように貼着される。
【００１８】
該底壁体１２が完成したら、適宜段ボール箱１に収納物を収容し、側壁１３、１５の上辺に連結された天井壁１１ｃ、１１ｄを内側に折り曲げ、さらに、側壁１４、１６の上辺に連結された天井壁１１ａ、１１ｂを、側壁１４、１６の上辺で折り曲げて向い合せ、その先端を突き合わせることにより該天井壁１１ｃ、１１ｄの外側を覆うと共に該段ボール箱１の上面を密閉し、該突き合せた先端部分１１ｅ、１１ｅをテープＴ１により閉じる。その際、テープＴ１の端部Ｔ１ａ、Ｔ１ｂが、上述した取っ手孔部を形成する取っ手孔形成用ミシン目加工部分２０ａ、２０ｂに掛かるように貼着される。以上により、天井壁体１１が完成し、段ボール箱１は密閉された箱体となる。なお、本実施形態では、底壁１２ｃ、１２ｄ、天井壁１１ｃ、１１ｄの長さは、折り曲げられても、その先端部が接触しないように側壁１４、１６の上辺、下辺の長さ寸法の１／２よりも短く形成されているが、必ずしも側壁１４、１６の上辺、下辺の長さ寸法の１／２よりも短く形成されることに限定されず、先端部が接触されるように形成されていてもよい。
【００１９】
図３に示すように、段ボール箱１から破断帯２４を分離することで、段ボール箱１が、上側部分Ａ、下側部分Ｂに二分される。図３の右側には、二分した段ボール箱１の上側部分Ａをそのまま用いて収納ケース、陳列用ケースとして使用する例を示す。また、図中左側には、段ボール箱１の下側部分Ｂにおいて取っ手孔形成用ミシン目加工２２ａ、２２ｂを破断して、取っ手孔２８、２８を形成し、運搬に適したトレーとして使用する例を示す。なお、取っ手孔形成用ミシン目加工２２ａ、２２ｂを破断して取っ手孔２８を形成しても、テープＴ２の端部Ｔ２ａ、Ｔ２ｂが、取っ手孔形成用ミシン目加工２２ａ、２２ｂの領域に掛かるように貼着されているため、取っ手孔２８を閉塞していた段ボール紙部分は段ボール箱１から完全に分離されず、側壁１３、１５に残っている。
【００２０】
段ボール箱１を上側部分Ａ、下側部分Ｂに二分し、収納ケース、或いはトレーとして使用した後、それぞれを廃棄する場合は、天井壁体１１、底壁体１２を構成していたテープＴ１、Ｔ２を剥離する。その剥離方法について図４を参照しながらより具体的に説明する。本発明により構成された段ボール箱１の下側部分Ｂは、上述したように、向かい合う底壁１２ａ、１２ｂがテープＴ２により閉じられており、テープＴ２で閉じられる方向の延長線上の側壁１３、１５に配設された取っ手孔形成用ミシン目加工２２ａ、２２ｂの領域に、テープＴ２の端部Ｔ２ａ、Ｔ２ｂが掛かるように位置付けられている。このため、この取っ手孔形成用ミシン目加工２２ａ、２２ｂを完全に破断させ、或いは既に破断されている場合はそのままの状態から、該取っ手孔２８を閉塞していた段ボール紙部分を底壁体１２側に、図４の矢印で示す方向に引き上げることにより、容易にテープＴ２の端部Ｔ２ａ側から引き剥がすことができる。このようにしてテープＴ２を剥離したら、下側部分Ｂを折り畳み、そのまま廃棄する。なお、上側部分Ａについても、上述した下側部分Ｂと同様の手順によりテープＴ１を剥離して廃棄することができる。
【００２１】
本発明は、上述した実施形態に限定されるものではなく、例えば取っ手孔形成用ミシン目加工は、上側部分Ａ、下側部分Ｂの両方に配設することに限定されず、いずれか一方のみに形成することでもよい。また、上側部分Ａ、下側部分Ｂの両方を収納ケース、又はトレーとして利用することに限定されず、上側部分Ａについては、テープＴ１を剥離して天井壁体１１を開放して収納物を取り出し、その後、破断帯２４を分離して下側部分Ｂのみを収納ケース、又はトレーとして使用するようにしてもよい。
【符号の説明】
【００２２】
１：段ボール箱
１１：天井壁体
１２：底壁体
１３、１４、１５、１６：側壁
２０ａ、２０ｂ、２２ａ、２２ｂ：取っ手孔形成用ミシン目加工
２４：破断帯
２４ａ、２４ｂ：分離用ミシン目加工
２６：破断開始部
２８：取っ手孔
Ａ：上側部分
Ｂ：下側部分
Ｔ１、Ｔ２：テープ
【図１】
2018065571.tif 000003
【図２】
2018065571.tif 000004
【図３】
2018065571.tif 000005
【図４】
2018065571.tif 000006